(57)【特許請求の範囲】
【請求項１】
燃油を燃焼する燃焼部を備えた本体装置と、該本体装置に設置され着脱自在の給油タンクと、該給油タンク下部に位置し燃油の供給を受ける固定タンクと、該固定タンク内の残油量を検出する油量センサと、前記本体装置での暖房運転を制御する制御部とを備えた燃焼機器において、前記制御部は、前記油量センサで燃油が継続して検出された期間をカウントし、所定期間以上継続してカウントしたら暖房運転の開始を禁止し、前記固定タンク内の燃油を入れ替えるよう報知することを特徴とする燃焼機器。
【請求項２】
前記制御部は、前記固定タンク内の燃油が検出された期間のカウントを前記本体装置への電源供給が検出できなくなったら開始し、再度本体装置への電源供給を検出したらカウントを終了することを特徴とする請求項１に記載の燃焼機器。
【発明の詳細な説明】
【技術分野】
【０００１】
この発明は、燃油を燃焼させて室内の暖房をおこなう燃焼機器に関するものである。
【背景技術】
【０００２】
従来、この種のものにおいて、本体装置に設置された固定タンク内に燃油の油量を検出する油量センサを備え、該油量センサで検出された油量が所定量以下であれば、給油する必要があることを報知し一定時間後に暖房運転を停止させる燃焼機器において、固定タンク上部に設置され燃油を供給する給油タンクが本体装置から取り外された状態でシーズンオフスイッチが操作されると、油量センサでの検出量が所定量以下であっても無視して暖房運転を続行し、固定タンク内の燃油が無くなるまで暖房運転を続けることで、次の暖房シーズン開始時期まで固定タンク内に燃油を残さず、変質した燃油が使用されるのを防止するものがあった。
【先行技術文献】
【特許文献】
【０００３】
【特許文献１】特開平１０−１２２５６１号公報
【発明の概要】
【発明が解決しようとする課題】
【０００４】
しかし、この従来のものでは、固定タンク内の燃油を使い切るためには給油タンクを本体装置から抜き、シーズンオフスイッチを操作する必要があるため、使用者がこの作業を怠ると次の暖房シーズン開始時期まで燃油が持ち越されることから、変質した燃油の使用を防止する手段として不完全であった。
【課題を解決するための手段】
【０００５】
上記課題を解決するために、本発明の請求項１では、燃油を燃焼する燃焼部を備えた本体装置と、該本体装置に設置され着脱自在の給油タンクと、該給油タンク下部に位置し燃油の供給を受ける固定タンクと、該固定タンク内の残油量を検出する油量センサと、前記本体装置での暖房運転を制御する制御部とを備えた燃焼機器において、前記制御部は、前記油量センサで燃油が継続して検出された期間をカウントし、所定期間以上継続してカウントしたら暖房運転の開始を禁止し、前記固定タンク内の燃油を入れ替えるよう報知するものである。
【０００６】
また、請求項２では、前記制御部は、前記固定タンク内の燃油が検出された期間のカウントを前記本体装置への電源供給が検出できなくなったら開始し、再度本体装置への電源供給を検出したらカウントを終了するものである。
【発明の効果】
【０００７】
この発明の請求項１によれば、油量センサで燃油が継続して検出された期間をカウントし、所定期間以上継続してカウントしたら暖房運転の開始を禁止し、固定タンク内の燃油を入れ替えるよう報知するので、固定タンク内に長期間残存した燃油を使用して暖房運転を開始するおそれがなく、燃油の入れ替えを促すことで変質した燃油が使用されることを防止できる。
【０００８】
また、請求項２によれば、固定タンク内の燃油が残存している期間のカウントを本体装置への電源供給が検出できない時点で開始し、再度本体装置への電源供給を検出したらカウントを終了するするので、本体装置での暖房運転が実施されていない期間を確実に検出することができ、変質した燃油を使用して暖房運転を開始されることを防止できる。
【図面の簡単な説明】
【０００９】
【図１】この発明の一実施形態を示す燃焼機器の正面斜視図
【図２】同発明を示す断面図
【図３】同発明を示す燃焼系を説明する図
【図４】同発明を示す要部拡大図
【図５】同発明を説明する制御ブロック図
【図６】同発明の本体装置への電源供給検出有無による制御を説明するフローチャート
【発明を実施するための形態】
【００１０】
次に、この発明の一実施形態を図に基づいて説明する。
１は本体装置であり、２は本体装置１の上面を構成する上面板、３は上面板２にあり各種スイッチで操作を行う操作部、４は操作部３で行った操作内容等を液晶画面に表示する液晶パネル、５は本体装置１の正面側にあり温風を案内するルーバー６が設置された温風吹出口、７は家庭用コンセントに差し込むことで本体装置１に電気を供給する電源プラグである。
【００１１】
８は背面の温風取入口９にファンガード１０を介して取り付けられた対流ファン、１１は前記温風取入口９と温風吹出口６とを連通する送風ボックス、１２は前記送風ボックス１１内にバーナヘッド１３を突出して設けられた燃焼部としてのバーナ、１４は前記バーナヘッド１３を囲堯して燃焼空間を形成する燃焼筒、１５は前記送風ボックス１１内で燃焼筒１４の真上に配設された遮熱板である。
【００１２】
１６は灯油などの燃油を供給する給油タンク、１７は給油タンク１６から供給された燃油を所定量溜める固定タンク、１８は固定タンク１７内の燃油量をフロートで測定する油量センサ、１９は固定タンク１７内の燃油を送油管２０及び送油ノズル２１を介してバーナ１２へ圧送する電磁ポンプ、２２は燃焼用空気を送風管２３を介して送風する燃焼ファンである。
【００１３】
２４は燃油を気化する気化器、２５は気化器２４を燃油が気化可能な温度まで加熱する気化ヒータ、２６は気化器２４の温度を検出する気化温度センサ、２７はバーナヘッド１３の外周に設けられた炎孔網、２８は燃焼熱を気化器２４へ回収する熱回収リング、２９は気化ガスにスパーク放電して点火する点火器、３０は炎の状態を監視するフレームロッドである。
【００１４】
操作部３には、暖房運転の開始と停止を指示する運転スイッチ３１と、所定の暖房運転時間が経過した後も続けて暖房運転を実行する延長スイッチ３２と、気化器２４を保温して運転スイッチ３１操作後から数秒で暖房運転を開始する秒速点火スイッチ３３と、現在時刻や所定の時刻になると暖房運転を開始するタイマー運転の設定を可能とする時刻設定スイッチ３４と、暖房運転での設定温度や現在時刻を調節する数値調節スイッチ３５と、子どものいたずら防止のため運転スイッチ３１の停止指示以外の操作を無効にするチャイルドロックスイッチ３６と、前記時刻設定スイッチ３４で暖房運転の開始時刻を二通り設定可能なタイマー運転スイッチ３７と、最大火力を４０％抑え設定温度が２１℃以上の際、強制的に２０℃まで下げて消費電力を低下させたエコ運転を実行するエコスイッチ３８とが備えられており、各種スイッチを操作して暖房運転の制御を変更する。
【００１５】
更に、運転スイッチ３１が操作され暖房運転の開始が指示されると点灯する運転ランプ３９と、自動消火する１５分前になると点滅する延長ランプ４０と、秒速点火スイッチ３３が操作されると点灯する秒速点火ランプ４１と、二通りの中で操作したタイマー運転スイッチ３７が点灯するタイマー運転ランプ４２と、エコスイッチ３８が操作されエコ運転が開始されると点灯するエコランプ４３とが操作部３に備わっており、各種スイッチ操作の有無を視覚で簡単に確認できるものである。
【００１６】
４４は本体装置１の制御をおこなうマイコンで構成された制御部であり、暖房運転開始からの時間をカウントして所定時間（例えば３時間）経過すると自動消火する消し忘れタイマ−手段４５と、時刻設定スイッチ３４で設定した時刻に暖房運転を開始させ、運転開始から所定時間（１時間）経過すると自動消火する予約タイマー手段４６と、残り燃油量が所定量以下になると前記電磁ポンプ１９の駆動パルス数をカウント開始し、このカウントしたパルス数が所定値以上になると自動消火する燃料切れ消火手段４７と、本体装置１への電源供給が検出できなくなると図示しないバッテリーによって動作し、再度電源供給が検出されるまでの期間を計時する期間計時手段４８とが備わっている。
【００１７】
４９は運転スイッチ３１や延長スイッチ３２等が操作された際にメロディや効果音で報知するスピーカである。
【００１８】
次に、本体装置１への電源供給の有無による制御について図６のフローチャートを用いて説明する。
まず、制御部４４は、電源プラグ７がコンセントから抜かれた等で本体装置１への電源供給が検出できないか判断して（Ｓ１０１）、本体装置１への電源供給が検出できなければ、期間計時手段４８で電源供給が検出できない期間のカウントを開始する（Ｓ１０２）。
【００１９】
Ｓ１０２で本体装置１への電源供給が検出できない期間のカウントを開始したら、制御部４４は、電源プラグ７がコンセントに差し込まれた等で本体装置１への電源供給が検出できたか判断し（Ｓ１０３）、本体装置１への電源供給が検出できたら、固定タンク１７内に残っている燃油量を油量センサ１８で確認し（Ｓ１０４）、燃油が固定タンク１７内に残っているか判断する（Ｓ１０５）。
【００２０】
Ｓ１０５で固定タンク１７内に燃油が残っていると判断したら、制御部４４は、期間計時手段４８でカウントした本体装置１への電源供給が検出できなかった期間を確認し（Ｓ１０６）、本体装置１への電源供給が検出できなかった期間が所定期間（例えば６ヶ月）以上か判断して（Ｓ１０７）、燃油が所定期間以上継続して固定タンク１７内に残っていると判断したら、操作部３上でのスイッチ操作をすべて無効にして暖房運転の開始を禁止し、固定タンク１７内に残存している燃油を新しい燃油に交換するようスピーカ４９から音声でアナウンスする（Ｓ１０８）。
【００２１】
Ｓ１０５で固定タンク１７内に燃油が残っていないと判断されたか、Ｓ１０７で電源供給が検出できなかった期間が所定期間に達していないと判断されたら、燃油は固定タンク１７内に残存していないとして、通常通りに暖房運転の開始を可能とする（Ｓ１０９）。
【００２２】
以上のように、本体装置１への電源供給が検出できない期間をカウントし、再度電源の供給が検出できた際、固定タンク１７内に燃油が残存していれば暖房運転を禁止して燃油の入れ替えを促す報知をすることで、暖房シーズン終了時に固定タンク１７内に燃油が残存した状態のまま放置し、次の暖房シーズン時に長期間固定タンク１７内に残っていた燃油を使用して暖房運転が実行されることを防止できるので、変質した燃油により送油管２０や送油ノズル２１内で発生するタール詰まり等で暖房運転の効率が低下することを防止できる。
【００２３】
なお、本発明は上記内容に限定されるものではなく、例えば、給油タンク１６の重量を検出する重量検出手段を設置し、本体装置１への電源供給が所定期間以上検出できず、その間、前記重量検出手段で検出された重量が継続して所定量以上であれば、長期間給油タンク１６内に燃油が入っている状態だとして、次に本体装置１への電源供給が検出された際に暖房運転を禁止し燃油の入れ替えを報知する等、本体装置１内に長期間燃油が残存している状態を検出する手段であればよいものである。
【００２４】
また、今回の実施形態ではスピーカ４９で音声によって燃油の入れ替えを報知する制御だが、例えば、液晶パネル４に燃油の入れ替えを促す文章を表示する等の制御でもよく、使用者に燃油を交換する必要があると伝わる手段であればよいものである。
【符号の説明】
【００２５】
１    本体装置
１２    バーナ
１６    給油タンク
１７    固定タンク
１８    油量センサ
４４    制御部
４８    期間計時手段
４９    スピーカ
【図１】
0005662259.tif 000002
【図２】
0005662259.tif 000003
【図３】
0005662259.tif 000004
【図４】
0005662259.tif 000005
【図５】
0005662259.tif 000006
【図６】
0005662259.tif 000007